【手続補正書】
【提出日】平成18年8月2日(2006.8.2)
【手続補正１】
【補正対象書類名】特許請求の範囲
【補正対象項目名】全文
【補正方法】変更
【補正の内容】
【特許請求の範囲】
【請求項１】
外部機器とのデータ通信を実行する通信手段と、
周辺機器情報を含むモバイルディレクトリ情報を格納した記憶手段と、
自己のアクセス可能な周辺機器情報を収集し、該収集情報に基づいて前記記憶手段内のモバイルディレクトリ情報の更新処理を実行する制御手段と、
を有することを特徴とするモバイル型情報処理装置。
【請求項２】
前記制御手段は、
前記周辺機器情報を該周辺機器の情報を格納したスペースディレクトリ（ＳＤＲ）から受信し、前記記憶手段内のモバイルディレクトリ情報の更新処理を実行する構成であることを特徴とする請求項１に記載のモバイル型情報処理装置。
【請求項３】
前記制御手段は、
前記周辺機器情報を該周辺機器の情報を格納したスペースディレクトリ（ＳＤＲ）から受信する処理を実行し、該実行に際し、スペースディレクトリ（ＳＤＲ）からの送信チャレンジに対するレスポンスとして、自己の秘密鍵による前記チャレンジの暗号化データおよび公開鍵証明書の送信処理を実行する構成であることを特徴とする請求項１に記載のモバイル型情報処理装置。
【請求項４】
前記通信手段は、
ブルートゥースによるワイヤレス型の通信処理を実行する構成であることを特徴とする請求項１に記載のモバイル型情報処理装置。
【請求項５】
前記制御手段は、
自己のアクセス可能な周辺機器情報を定期的に収集する処理を実行する構成であることを特徴とする請求項１に記載のモバイル型情報処理装置。
【請求項６】
前記制御手段は、
前記周辺機器に含まれる通信中継手段を介して前記モバイルディレクトリ情報の原本データを格納するパーソナルディレクトリ（ＰＤＲ）との通信を実行し、該パーソナルディレクトリ（ＰＤＲ）に対して自己の位置情報を登録する処理を実行する構成であることを特徴とする請求項１に記載のモバイル型情報処理装置。
【請求項７】
外部機器とのデータ通信を実行する通信手段と、
モバイルディレクトリ情報の原本情報を格納した記憶手段と、
前記通信手段を介して、前記外部機器からのサービス要求を受領し、前記原本情報の少なくとも一部をモバイルディレクトリ情報として前記外部機器に提供する処理を実行する制御手段と、
を有することを特徴とする情報処理装置。
【請求項８】
前記制御手段は、
前記外部機器の位置情報を登録する処理を実行する構成であることを特徴とする請求項７に記載の情報処理装置。
【請求項９】
外部機器とのデータ通信を実行する通信手段と、
ローカル領域にある情報処理装置情報を格納した記憶手段と、
前記通信手段を介して、前記外部機器からのサービス要求を受領し、前記情報処理装置情報にもとづいて、前記外部機器へのサービス提供処理を実行する制御手段と、
を有することを特徴とする情報処理装置。
【請求項１０】
前記制御手段は、
前記記憶手段に格納された周辺機器に関する情報処理装置情報を前記外部機器に送信する構成であることを特徴とする請求項９に記載の情報処理装置。
【請求項１１】
前記制御手段は、
前記記憶手段に格納された周辺機器に関する情報処理装置情報を前記外部機器に送信する際に、チャレンジレスポンスによる認証処理を実行し、
前記制御手段からチャレンジ送信を行うとともに、
前記外部機器からのレスポンスとして、前記外部機器の秘密鍵による前記チャレンジ送信に対する暗号化データおよび公開鍵証明書の受信処理を実行する構成であることを特徴とする請求項９に記載の情報処理装置。
【請求項１２】
前記通信手段は、
ブルートゥースによるワイヤレス型の通信処理を実行する構成であることを特徴とする請求項９に記載の情報処理装置。
【請求項１３】
モバイルディレクトリ情報を格納したモバイル機器と、
前記モバイルディレクトリ情報の原本情報を格納し、ネットワークを介して、前記モバイル機器からのサービス要求を受領し、前記モバイル機器に前記サービス要求に応じたサービス提供処理を実行するパーソナルディレクトリ（ＰＤＲ）と、
を有することを特徴とするデータ通信システム。
【請求項１４】
前記データ通信システムは、さらに、
サービスプロバイダを含み、
前記サービスプロバイダは、前記パーソナルディレクトリ（ＰＤＲ）から取得した情報に基づいて、サービス提供処理を実行する構成であることを特徴とする請求項１３に記載のデータ通信システム。
【請求項１５】
前記データ通信システムは、さらに、
ローカル領域にある情報処理装置情報を格納したスペースディレクトリサーバを含み、
前記スペースディレクトリサーバは、
前記モバイル機器から、前記モバイルディレクトリ情報に含まれる周辺機器情報を含むサービス要求を受領し、該周辺機器を介したサービス提供処理を実行することを特徴とする請求項１３に記載のデータ通信システム。
【請求項１６】
前記サービス提供処理は、
サービスプロバイダを介して実行する構成であることを特徴とする請求項１５に記載のデータ通信システム。
【請求項１７】
モバイル型情報処理装置における周辺機器情報取得処理方法であり、
周辺機器情報を格納したスペースディレクトリ（ＳＤＲ）にアクセスするステップと、
スペースディレクトリ（ＳＤＲ）からの送信チャレンジに対するレスポンスとして、自己の秘密鍵による前記チャレンジの暗号化データおよび公開鍵証明書の送信処理を実行するステップと、
前記スペースディレクトリ（ＳＤＲ）から周辺機器情報を受信するステップと、
受信した周辺機器情報をモバイルディレクトリ情報として記憶手段に格納するステップと、
を有することを特徴とする周辺機器情報取得処理方法。
【請求項１８】
前記周辺機器情報取得処理方法は、さらに、
前記モバイルディレクトリ情報の原本データを格納するパーソナルディレクトリ（ＰＤＲ）との通信を実行し、
該パーソナルディレクトリ（ＰＤＲ）に対して自己の位置情報を登録する処理を実行するステップを含むことを特徴とする請求項１７に記載の周辺機器情報取得処理方法。
【請求項１９】
モバイル機器において、ローカル領域にある情報処理装置情報として、周辺機器からの周辺機器情報を取得して、記憶手段にモバイルディレクトリ情報として格納するステップと、
前記モバイル機器から、前記モバイルディレクトリ情報の原本データを格納するパーソナルディレクトリ（ＰＤＲ）に対して、前記モバイルディレクトリ情報に含まれる周辺機器情報を含むサービス要求を送信し、パーソナルディレクトリは該周辺機器を介したサービス提供処理を実行するステップと、
を有することを特徴とするデータ通信方法。
【請求項２０】
前記周辺機器情報は、前記周辺機器の情報処理装置情報を格納したスペースディレクトリサーバ（ＳＤＲ）から取得することを特徴とする請求項１９に記載のデータ通信方法。
【請求項２１】
前記サービス要求は、サービスプロバイダを介して行うことを特徴とする請求項１９に記載のデータ通信方法。
【請求項２２】
モバイル機器において、ローカル領域にある情報処理装置情報としての周辺機器情報を情報処理装置から直接取得して、記憶手段にモバイルディレクトリ情報として格納するステップと、
前記モバイル機器から、前記モバイルディレクトリ情報の原本データを格納するパーソナルディレクトリ（ＰＤＲ）に対して、前記モバイルディレクトリ情報に含まれる周辺機器情報を含むサービス要求を受領し、該周辺機器を介したサービス提供処理を実行するステップと、
を有することを特徴とするデータ通信方法。
【請求項２３】
前記サービス要求は、サービスプロバイダを介して行うことを特徴とする請求項２２に記載のデータ通信方法。
【請求項２４】
モバイル型情報処理装置における周辺機器情報取得処理をコンピュータ・システム上で実行するために記述されたコンピュータ・プログラムであって、
周辺機器情報を格納したスペースディレクトリ（ＳＤＲ）にアクセスするステップと、
スペースディレクトリ（ＳＤＲ）からの送信チャレンジに対するレスポンスとして、自己の秘密鍵による前記チャレンジの暗号化データおよび公開鍵証明書の送信処理を実行するステップと、
前記スペースディレクトリ（ＳＤＲ）から周辺機器情報を受信するステップと、
受信した周辺機器情報をモバイルディレクトリ情報として記憶手段に格納するステップと、
を有することを特徴とするコンピュータ・プログラム。
【請求項２５】
モバイル型情報処理装置における周辺機器情報取得処理をコンピュータ・システム上で実行するために記述されたコンピュータ・プログラムであって、
機器情報を格納した情報処理装置にアクセスするステップと、
前記情報処理装置からの送信チャレンジに対するレスポンスとして、自己の秘密鍵による前記チャレンジの暗号化データおよび公開鍵証明書の送信処理を実行するステップと、
前記情報処理装置から機器情報を受信するステップと、
受信した機器情報をモバイルディレクトリ情報として記憶手段に格納するステップと、
を有することを特徴とするコンピュータ・プログラム。
【手続補正２】
【補正対象書類名】明細書
【補正対象項目名】００１５
【補正方法】変更
【補正の内容】
【００１５】
さらに、本発明のモバイル型情報処理装置の一実施態様において、前記制御手段は、前記周辺機器に含まれる通信中継手段を介して前記モバイルディレクトリ情報の原本データを格納するパーソナルディレクトリ（ＰＤＲ）との通信を実行し、該パーソナルディレクトリ（ＰＤＲ）に対して自己の位置情報を登録する処理を実行する構成であることを特徴とする。
【手続補正３】
【補正対象書類名】明細書
【補正対象項目名】００２７
【補正方法】変更
【補正の内容】
【００２７】
さらに、本発明の周辺機器情報取得処理方法の一実施態様において、前記周辺機器情報取得処理方法は、さらに、前記モバイルディレクトリ情報の原本データを格納するパーソナルディレクトリ（ＰＤＲ）との通信を実行し、該パーソナルディレクトリ（ＰＤＲ）に対して自己の位置情報を登録する処理を実行するステップを含むことを特徴とする。
【手続補正４】
【補正対象書類名】明細書
【補正対象項目名】００３１
【補正方法】変更
【補正の内容】
【００３１】
さらに、本発明の第７の側面は、
モバイル機器において、ローカル領域にある情報処理装置情報としての周辺機器情報を情報処理装置から直接取得して、記憶手段にモバイルディレクトリ情報として格納するステップと、
前記モバイル機器から、前記モバイルディレクトリ情報の原本データを格納するパーソナルディレクトリ（ＰＤＲ）に対して、前記モバイルディレクトリ情報に含まれる周辺機器情報を含むサービス要求を受領し、該周辺機器を介したサービス提供処理を実行するステップと、
を有することを特徴とするデータ通信方法にある。
【手続補正５】
【補正対象書類名】明細書
【補正対象項目名】００５８
【補正方法】変更
【補正の内容】
【００５８】
記憶手段３０４は例えばハードディスク、フラッシュメモリ等であり、前述したモバイルディレクトリ情報等を格納する。なお、モバイルディレクトリ情報の一部は、ＲＯＭ３０２またはＲＡＭ３０３に格納してもよい。バス３０５はＰＣＩ（Peripheral Component Internet/Interface）バス等により構成され、各モジュール、入出力インタフェースを介した各入出力装置とのデータ転送を可能にしている。
【手続補正６】
【補正対象書類名】明細書
【補正対象項目名】００６９
【補正方法】変更
【補正の内容】
【００６９】
ＣＰＵ(Central processing Unit)３５１は、制御手段として機能する各種プログラムを実行するプロセッサである。ＲＯＭ（Read-Only-Memory）３５２は、ＣＰＵ３５１が実行するプログラム、あるいは演算パラメータとしての固定データを格納する。ＲＡＭ（Random Access Memory）３５３は、ＣＰＵ３５１の処理において実行されるプログラム、およびプログラム処理において適宜変化するパラメータの格納エリア、ワーク領域として使用される。
【手続補正７】
【補正対象書類名】明細書
【補正対象項目名】００７０
【補正方法】変更
【補正の内容】
【００７０】
ＨＤＤ３５４はハードディスクの制御を実行し、ハードディスクに対する各種データ、プログラムの格納処理および読み出し処理を実行する。バス３６１はＰＣＩ（Peripheral Component Internet/Interface）バス等により構成され、各モジュール、入出力インタフェース３６２を介した各入出力装置とのデータ転送を可能にしている。
【手続補正８】
【補正対象書類名】明細書
【補正対象項目名】００７７
【補正方法】変更
【補正の内容】
【００７７】
さらに、アクセスポイント情報として、プライマリアクセスポイント情報としてのプライマリワイヤレスアクセスユニット情報（ＷＡＵprimary）４１１、機器状態に応じて設定されるアクセスポイント情報としてのステートワイヤレスアクセスユニット情報（ＷＡＵstate）４１２，４１３，４１４、また、スペースディレクトリ情報として、プライマリスペースディレクトリ（ＳＤＲprimary）４２１、機器状態に応じて設定されるスペースディレクトリ情報としてステートスペースディレクトリ（ＳＤＲstate）４２２，４２３、さらに、スペースディレクトリ（ＳＤＲ）の具体的形態、通信処理形態等の情報（Ｌｏｃａｌ，Ｓｈａｒｅｄ）４４１〜４４４、同期情報（Ｓｙｎｃ）４３１，４３２が設定される。
【手続補正９】
【補正対象書類名】明細書
【補正対象項目名】００８０
【補正方法】変更
【補正の内容】
【００８０】
ユーザの携帯するモバイル機器に格納されるモバイルディレクトリ情報は、以上、説明した情報を含み、これらのデータは、必要に応じて逐次更新される。モバイル機器を携帯したユーザが自宅、あるいは外出先において、ローカル接続された機器を利用する際には、利用しようとするローカル機器を管理する管理エンティテイ、例えばサービスブロバイダ、あるいはＳＤＲ、あるいは機器自体がモバイル機器に格納されるモバイルディレクトリ情報に基づくユーザ確認処理を実行し、必要に応じて、ユーザ設定情報等をモバイルディレクトリ、またはパーソナルディレクトリ（ＰＤＲ）から取り出して、各ユーザに適応した設定を実行して、ユーザ対応の処理を実行可能な状態に設定する処理を実行した後、機器に応じた様々な情報処理を実行する。
【手続補正１０】
【補正対象書類名】明細書
【補正対象項目名】０１０９
【補正方法】変更
【補正の内容】
【０１０９】
以下、ステップ（Ａ１２）〜（Ａ２２）を図８を参照して説明する。
（Ａ１２）スペース情報の応答処理。
スペースディレクトリ（ＳＤＲ１）がモバイルディレクトリ（ＭＤＲ）認証の証として発行する［ｔｒｍｐＩＤ２−１（セッション中有効）］と、スペースディレクトリ（ＳＤＲ１）の管理下にあるローカル接続された情報処理装置としてのＴＶ１Ａ、ＴＶ１Ｂのアドレス＆属性をスペース情報として通知する。
【手続補正１１】
【補正対象書類名】明細書
【補正対象項目名】０１４１
【補正方法】変更
【補正の内容】
【０１４１】
（Ａ４１）スペース情報要求
受信したスペースディレクトリ識別子（ＳＩＤ）に基づいて、既知のスペースと異なることを認識したモバイル機器のＣＰＵが、「ＳＩＤとｔｅｍｐＩＤ」を付けて送信する。
【手続補正１２】
【補正対象書類名】明細書
【補正対象項目名】０１４２
【補正方法】変更
【補正の内容】
【０１４２】
以下、ステップ（Ａ４２）〜（Ａ４７）を図１１を参照して説明する。
（Ａ４２）スペース情報応答
スペースディレクトリ（ＳＤＲ２）がモバイル機器におけるモバイルディレクトリ（ＭＤＲ）認証の証として発行するｔｒｍｐＩＤ２（セッション中有効）と、スペースディレクトリ（ＳＤＲ２）の管理下にあるＴＶ２のアドレス＆属性を通知する。
【手続補正１３】
【補正対象書類名】明細書
【補正対象項目名】０１４８
【補正方法】変更
【補正の内容】
【０１４８】
（Ａ４８）モバイルディレクトリ（ＭＤＲ）更新
ステップ（Ａ４６）で通知された情報をモバイル機器のモバイルディレクトリ（ＭＤＲ）に反映する更新処理を実行する。
【手続補正１４】
【補正対象書類名】明細書
【補正対象項目名】０１７６
【補正方法】変更
【補正の内容】
【０１７６】
１０１  上位ディレクトリサーバ
１１０  通信サービスプロバイダ（ＩＳＰ−Ａ）
１１１  ディレクトリサーバＡ
１２０  通信サービスプロバイダ（ＩＳＰ−Ｂ）
１２１  ディレクトリサーバＢ
１３０  自宅
１３１  スペースディレクトリ（ＳＤＲ）
１４０  外出先
１４１  情報処理装置
１４２  情報処理装置
１５０  ユーザ
１５１  モバイル機器
１５２  モバイルディレクトリ
１７０  パーソナルディレクトリ（ＰＤＲ）管理サーバ
１７１  パーソナルディレクトリ（ＰＤＲ）
２１１，２１２  サービスプロバイダ
２２１，２２２，２２３  アクセスポイント
２５０  ユーザ
２５１  モバイル機器
２５２  モバイルディレクトリ
３０１  ＣＰＵ
３０２  ＲＯＭ
３０３  ＲＡＭ
３０４  記憶手段
３０５  バス
３０６  入力手段
３０７  表示手段
３０８  通信手段
３２１  無線通信手段
３２２  有線通信手段
３２３  システム制御部
３２４  記憶手段
３３１  無線通信手段
３３２  システム制御部
３３３  記憶手段
３３４  入力手段
３３５  出力手段
３５１  ＣＰＵ
３５２  ＲＯＭ
３５３  ＲＡＭ
３５４  ＨＤＤ
３５６  入力部
３５７  出力部
３５８  通信部
３５９  ドライブ
３６０  リムーバブル記録媒体
３６１  バス
３６２  入出力インタフェース
５０１，５０２  ユーザ
５１０，５２０  ユーザの家
５１１，５２１  ＰＣ（ＰＤＲ）
５１２，５２２  ＰＣ（ＳＤＲ）
５１３，５２３  オーディオ機器
５１４，５２４  ルータ
５１５  アラーム
５１６  ＭＴ（ＭＤＲ）
５４０  ＣＡ
５５０  ＷＰ
【手続補正１５】
【補正対象書類名】図面
【補正対象項目名】図５
【補正方法】変更
【補正の内容】
【図５】
2004096743.tif 000001